(57)【要約】【課題】点検および修理が容易であるとともに広告面を広く確保できる遮水装置を提供する。【解決手段】遮水装置１０は、開口部の互いに対向する２つの側部の間に架け渡すように設けられた遮水板３０と、側部の下部から開口部の中央側に突出するように設けられ、遮水板３０を内側から支持する支持部３２と、遮水板３０と支持部３２との間に配置された止水部材６０と、遮水板３０に作用する重力を用いて遮水板３０を内側に移動させるための移動機構６６とを備える。移動機構６６は、支持部３２から外側に突出して設けられた第１結合部６８と、遮水板３０から内側に突出して設けられ、第１結合部６８に対して上方から引っ掛けられて結合される第２結合部７０とを有しており、第２結合部７０が第１結合部６８に引っ掛けられたとき、遮水板３０が内側に移動される。【選択図】図６
2016003454.tif 000002
【特許請求の範囲】
【請求項１】
建造物に設けられた開口部を外側から内側に流れようとする水の流れを遮断するための遮水装置であって、
前記開口部の互いに対向する２つの側部の間に架け渡すように設けられた遮水板と、
前記側部の下部から前記開口部の中央側に突出するように設けられ、前記遮水板を内側から支持する支持部と、
前記遮水板と前記支持部との間に配置された止水部材と、
前記遮水板に作用する重力を用いて前記遮水板を内側に移動させるための移動機構とを備え、
前記移動機構は、
前記支持部から外側に突出して設けられた第１結合部と、
前記遮水板から内側に突出して設けられ、前記第１結合部に対して上方から引っ掛けられて結合される第２結合部とを有しており、
前記第２結合部が前記第１結合部に引っ掛けられたとき、前記遮水板が内側に移動される、遮水装置。
【請求項２】
前記第２結合部は、回動アームと、前記回動アームの一方端部を前記遮水板に回動可能に取り付けるための取付部と、前記回動アームの他方端部に設けられ、前記第１結合部に上方から引っ掛けられる引っ掛け部とを有しており、
前記引っ掛け部が前記第１結合部に引っ掛けられた状態で前記遮水板が下方に移動されたとき、前記回動アームが上方に回動されて、前記回動アームの水平方向長さが短くなる、請求項１に記載の遮水装置。
【請求項３】
前記移動機構は、前記回動アームを下方に回動させるための回動力を生じさせる付勢部材を有しており、
前記引っ掛け部が前記第１結合部に引っ掛けられた状態で前記遮水板が下方に移動されたとき、前記回動アームが前記付勢部材の付勢に抗して上方に回動される、請求項２に記載の遮水装置。
【請求項４】
前記止水部材は、前記遮水板および前記支持部の一方に取り付けられており、
前記引っ掛け部が前記第１結合部に引っ掛けられる前には、前記回動アームまたは前記引っ掛け部が前記支持部に当接されることによって、前記止水部材が前記遮水板および前記支持部の他方から離間される、請求項３に記載の遮水装置。
【請求項５】
前記２つの側部のそれぞれは、上下方向に延びるガイド溝を有しており、
水平方向における前記遮水板の両端部は前記ガイド溝に配置されている、請求項１ないし４のいずれか１項に記載の遮水装置。
【請求項６】
前記ガイド溝に案内されて昇降するシャッターカーテンをさらに備え、
前記シャッターカーテンの下端部に前記遮水板が取り付けられている、請求項５に記載の遮水装置。
【発明の詳細な説明】
【技術分野】
【０００１】
本発明は、開口部から浸入しようとする水の流れを遮断するための遮水装置に関する。
【背景技術】
【０００２】
特許文献１には、開口部用の防水装置が開示されている。この防水装置は、開口部に配置された側部溝部と、開口部からの水の浸入を防止する防水板とを有しており、防水板の幅方向端部は、側部溝部に挿入されている。また、防水装置は、側部溝部の内壁面と防水板の表面との間に配置された遮水部材と、防水板を案内する案内機構とを有している。防水板が下方に移動されるとき、案内機構で防水板が押圧され、防水板および側部溝部の両方が遮水部材に密着される。
【先行技術文献】
【特許文献】
【０００３】
【特許文献１】特開２０１３−１５９９１１号公報
【０００４】
特許文献１に記載された遮水装置では、防水板の幅方向端部が側部溝部に挿入されており、側部溝部に遮水部材や案内機構が設けられているので、遮水部材および案内機構の点検および修理が困難であるという問題があった。また、側部溝部の壁部で防水板の幅方向端部が隠れるので、防水板の表面に広告等を表示する際には、広告面が小さくなるという問題があった。
【発明の概要】
【０００５】
本発明は、上記問題に対処するためになされたものであり、点検および修理が容易であるとともに、広告面を広く確保できる、遮水装置を提供することを目的とする。
【０００６】
上記目的を達成するため、本発明の特徴は、建造物に設けられた開口部を外側から内側に流れようとする水の流れを遮断するための遮水装置であって、前記開口部の互いに対向する２つの側部の間に架け渡すように設けられた遮水板と、前記側部の下部から前記開口部の中央側に突出するように設けられ、前記遮水板を内側から支持する支持部と、前記遮水板と前記支持部との間に配置された止水部材と、前記遮水板に作用する重力を用いて前記遮水板を内側に移動させるための移動機構とを備え、前記移動機構は、前記支持部から外側に突出して設けられた第１結合部と、前記遮水板から内側に突出して設けられ、前記第１結合部に対して上方から引っ掛けられて結合される第２結合部とを有しており、前記第２結合部が前記第１結合部に引っ掛けられたとき、前記遮水板が内側に移動されることにある。
【０００７】
この構成では、支持部、止水部材、第１結合部および第２結合部が遮水板の内側に配置されているので、開口部の互いに対向する２つの側部の間の全範囲において、遮水板を外側に向けて露出させることができ、広告等を表示するための表示面を広く確保できる。また、第２結合部が第１結合部に対して上方から引っ掛けられて結合されるので、遮水板と共に第２結合部を持ち上げることによって、遮水板を支持部から離脱させることができ、遮水板と支持部との間に配置された各部品の点検および修理を容易に行うことができる。
【０００８】
本発明の他の特徴は、前記遮水装置において、前記第２結合部は、回動アームと、前記回動アームの一方端部を前記遮水板に回動可能に取り付けるための取付部と、前記回動アームの他方端部に設けられ、前記第１結合部に上方から引っ掛けられる引っ掛け部とを有しており、前記引っ掛け部が前記第１結合部に引っ掛けられた状態で前記遮水板が下方に移動されたとき、前記回動アームが上方に回動されて、前記回動アームの水平方向長さが短くなることにある。
【０００９】
この構成では、回動アームを上方に回動させるときの負荷によって、遮水板の降下速度を緩和でき、第２結合部が第１結合部に引っ掛けられるときに発生する衝撃を緩和できる。
【００１０】
本発明の他の特徴は、前記遮水装置において、前記移動機構は、前記回動アームを下方に回動させるための回動力を生じさせる付勢部材を有しており、前記引っ掛け部が前記第１結合部に引っ掛けられた状態で前記遮水板が下方に移動されたとき、前記回動アームが前記付勢部材の付勢に抗して上方に回動されることにある。
【００１１】
この構成では、回動アームを上方に回動させるときの負荷を付勢部材で生じさせることができるので、この負荷の大きさを容易に調整できる。
【００１２】
本発明の他の特徴は、前記遮水装置において、前記止水部材は、前記遮水板および前記支持部の一方に取り付けられており、前記引っ掛け部が前記第１結合部に引っ掛けられる前には、前記回動アームまたは前記引っ掛け部が前記支持部に当接されることによって、前記止水部材が前記遮水板および前記支持部の他方から離間されることにある。
【００１３】
この構成では、遮水板を設置する際に、止水部材を支持部または遮水板から離間させることができるので、止水部材の損傷を防止できる。
【００１４】
本発明の他の特徴は、前記遮水装置において、前記２つの側部のそれぞれは、上下方向に延びるガイド溝を有しており、水平方向における前記遮水板の両端部は前記ガイド溝に配置されていることにある。
【００１５】
この構成では、遮水板をガイド溝に沿って降下させることができるので、第１結合部に対して第２結合部を容易に位置決めできる。
【００１６】
本発明の他の特徴は、前記遮水装置において、前記ガイド溝に案内されて昇降するシャッターカーテンをさらに備え、前記シャッターカーテンの下端部に前記遮水板が取り付けられていることにある。
【００１７】
この構成では、既存のシャッターを利用して遮水板を昇降させることができる。
【図面の簡単な説明】
【００１８】
【図１】本発明の一実施形態に係る遮水装置の遮水状態を示す斜視図である。
【図２】本発明の一実施形態に係る遮水装置の遮水解除状態を示す斜視図である。
【図３】遮水装置の主要部の構成を外側から示す部分斜視図である。
【図４】遮水板および止水部材の構成を内側から示す部分斜視図である。
【図５】移動機構の第２結合部の構成を示す分解斜視図である。
【図６】遮水板を降下させる状態を示す左側面図である。
【図７】第２結合部が第１結合部に引っ掛けられた状態を示す左側面図である。
【図８】遮水板が止水部材に押し付けられた状態を示す左側面図である。
【図９】他の実施形態に係る遮水装置の主要部の構成を示す左側面図である。
【発明を実施するための形態】
【００１９】
以下、本発明に係る遮水装置の実施形態について図面を参照しながら説明する。
【００２０】
図１は、本発明の一実施形態に係る遮水装置１０の遮水状態を示す斜視図である。図２は、遮水装置１０の遮水解除状態を示す斜視図である。図１および図２に示す遮水装置１０は、大雨、洪水および津波等が発生した際に、住宅等の建造物１２に設けられた開口部１４から浸入しようとする水の流れを遮断するものである。地表面１６に溢れ出た水（図示省略）は、開口部１４を外側から内側に流れようとする。
【００２１】
以下の説明で用いる方向の概念は、図１および図２に示す矢印の方向を基準とする。つまり、開口部１４の外側を「外」、開口部１４の内側を「内」、外側から見て左側を「左」、外側から見て右側を「右」とする。遮水装置１０は、左右対称に構成されているため、以下では、遮水装置１０の左側の部分に着目して説明する。
【００２２】
図１に示すように、開口部１４には、シャッター１８が設けられている。遮水装置１０は、このシャッター１８を利用して構成されている。シャッター１８は、開口部１４の互いに対向する２つの側部２０，２０に上下方向に延びて設けられたガイド溝２４，２４と、開口部１４を開閉するためのシャッターカーテン２６と、ケース２８とを有している。ガイド溝２４，２４は側部２０，２０の一部を構成している。つまり、側部２０，２０がガイド溝２４，２４を有している。
【００２３】
図１に示すように、シャッターカーテン２６の下端部には、側面視で逆Ｔ字状の座板２６ａが形成されている。シャッターカーテン２６の幅方向両端部は、ガイド溝２４，２４に配置されている。ケース２８には、シャッターカーテン２６を巻き取るための巻き取り機構（図示省略）が収容されている。なお、シャッターカーテン２６の種類は、スラット式、格子式およびパネル式のいずれであってもよい。また、巻き取り機構の種類は、電動式および手動式のいずれであってもよい。
【００２４】
図２に示すように、遮水装置１０は、開口部１４の互いに対向する２つの側部２０，２０の間に架け渡すように設けられた遮水板３０と、側部２０，２０の下部から開口部１４の中央側に突出するように設けられた支持部３２とを備えている。
【００２５】
図３は、遮水装置１０の主要部の構成を外側から示す部分斜視図である。図３に示すように、遮水板３０は、水平方向に延びて設けられた板状の本体部４０と、本体部４０の端部に設けられた板状の延長部４２とを有している。水平方向における延長部４２の一方端部４２ａは、本体部４０の端部４０ａに外側から重ね合わされている。この重ね合わされた部分には、複数（本実施形態では７個）の貫通孔（図示省略）が上下方向に間隔を隔てて形成されている。これらの貫通孔には、ボルト４４が挿通されており、ボルト４４にナット４６（図６）が螺合されることによって、本体部４０と延長部４２とが接続されている。水平方向における延長部４２の他方端部４２ｂは、ガイド溝２４に配置されている。
【００２６】
図３に示すように、本体部４０の上端部には、シャッターカーテン２６の座板２６ａを挟持する複数（本実施形態では７個）の挟持部４８が水平方向に間隔を隔てて設けられている。延長部４２の外側の面には、２つの凹部５０，５２が、上下方向に間隔を隔てて、かつ、水平方向にずれて形成されており、これらの凹部５０，５２には、貫通孔５０ａ，５２ａが形成されている。本体部４０、延長部４２および挟持部４８は、ステンレス等のような水に浮かない高強度の材料で形成されている。遮水板３０の外側の面は、広告や装飾を表示するための表示面３０ａとなっている。この表示面３０ａには、広告や装飾が表示されたシートやパネル（図示省略）が取り付けられる。
【００２７】
図３に示すように、支持部３２は、遮水板３０を支持する平面視でＬ字状の遮水板支持部５４と、第１止水部材６０を支持する止水部材支持部５８とを有している。遮水板支持部５４は、遮水板３０の内側の面に対して平行となるように上下方向に延びて板状に形成された第１部分５４ａと、側部２０の表面に対して平行となるように上下方向に延びて板状に形成された第２部分５４ｂとを有している。止水部材支持部５８は、遮水板３０の内側の面に対して平行となるように上下方向に延びて板状に形成されている。止水部材支持部５８の上端部５８ａは、第１止水部材６０を上方から受け入れ易いように、内側に傾斜して形成されている。止水部材支持部５８は、遮水板支持部５４における開口部１４の中央側の端縁に溶接等によって接続されている。そして、遮水板支持部５４の第２部分５４ｂがボルト等（図示省略）を用いて側部２０に取り付けられており、側部２０と第２部分５４ｂとの隙間は、止水部材（図示省略）で封止されている。
【００２８】
図４は、遮水板３０および止水部材６０，６４の構成を内側から示す部分斜視図である。図４に示すように、遮水装置１０は、さらに遮水板３０と支持部３２（図３）との間に配置された第１止水部材６０と、遮水板３０と開口部１４の底部６２（図３）との間に配置された第２止水部材６４と、遮水板３０に作用する重力を用いて遮水板３０を内側に移動させるための移動機構６６とを備えている。
【００２９】
図４に示すように、第１止水部材６０および第２止水部材６４は、ゴムおよびエラストマー等のような弾性材料によって線状に形成されている。第１止水部材６０は、遮水板３０（本実施形態では本体部４０）の内側の面における両端部に、上下方向に延びて取り付けられている。第２止水部材６４は、遮水板３０（本実施形態では本体部４０）の下端面３０ｂに、左右方向（水平方向）に延びて取り付けられている。第１止水部材６０と第２止水部材６４とは、漏水防止のために隙間なく接触されている。
【００３０】
図３に示すように、移動機構６６は、第１結合部６８と第２結合部７０とを有している。第１結合部６８は、支持部３２から外側に突出して設けられている。第１結合部６８は、先端部６８ａが基端部６８ｂよりも上方に位置するようにフック状に形成されており、基端部６８ｂが溶接等によって遮水板支持部５４の外側の面に接続されている。本実施形態では、遮水板支持部５４に対して２つの第１結合部６８が上下方向に間隔を隔てて、かつ、水平方向にずれて設けられている。
【００３１】
図４に示すように、第２結合部７０は、遮水板３０から内側に突出して設けられている。本実施形態では、遮水板３０に対して２つの第２結合部７０が上下方向に間隔を隔てて、かつ、水平方向にずれて設けられている。図５は、第２結合部７０の構成を示す分解斜視図である。図５に示すように、第２結合部７０は、回動アーム７２と、取付部７４と、引っ掛け部７６と、付勢部材７８とを有している。
【００３２】
図５に示すように、回動アーム７２は、棒状または板状に形成されており、回動アーム７２の一方端部７２ａには、回動軸８０が挿通される貫通孔（図示省略）が形成されている。本実施形態の回動軸８０はボルトであり、回動軸８０にはナット８２が螺合されている。回動アーム７２の他方端部７２ｂには、回動軸８４が挿通される貫通孔（図示省略）が形成されている。また、回動アーム７２の他方端部７２ｂには、図６に示すように、取付部７４に設けられたストッパー８５ａに当接される当接部８５ｂが形成されている。図５に示すように、回動アーム７２の中央部には、付勢部材７８が接続される突起状の接続部８６が形成されている。
【００３３】
図５に示すように、取付部７４は、回動アーム７２の一方端部７２ａを遮水板３０に対して回動可能に取り付けるものであり、板状の基部８８と、基部８８の中央部から内側に突出して形成された軸受け部９０とを有している。基部８８には、複数（本実施形態では３個）の貫通孔９２ａ〜９２ｃが形成されており、軸受け部９０には、貫通孔９４が形成されている。そして、軸受け部９０には、貫通孔９４に挿通された回動軸８０を介して回動アーム７２の一方端部７２ａが取り付けられている。回動軸８０（ボルト）に螺合されたナット８２によって回動アーム７２の離脱が防止されている。
【００３４】
図５に示すように、第２結合部７０を遮水板３０に取り付ける際には、取付部７４が遮水板３０の凹部５０，５２（図３）に配置される。このとき、軸受け部９０および回動アーム７２が、貫通孔５０ａ，５２ａ（図３）を通して遮水板３０から内側に突出される。そして、取付部７４の貫通孔９２ａ〜９２ｃおよび遮水板３０の貫通孔５０ａ，５２ａ（図３）にボルト９６ａ〜９６ｃが挿通され、これらのボルト９６ａ〜９６ｃにナット９８ａ〜９８ｃが螺合されることによって、取付部７４が遮水板３０に固定される。貫通孔５０ａ，５２ａ（図３）の内周部には、凹部１００ａ〜１００ｃが形成されており、これらの凹部１００ａ〜１００ｃにボルト９６ａ〜９６ｃが配置されることで、取付部７４が遮水板３０に対して正確に位置決めされる。
【００３５】
図５に示すように、引っ掛け部７６は、第１結合部６８（図３）に上方から引っ掛けられる部分である。本実施形態の引っ掛け部７６は、回動アーム７２に対して直交する方向に延びる円柱状に形成されており、引っ掛け部７６の中心部には、回動軸８４が挿入される孔７６ａが形成されている。この引っ掛け部７６は、回動アーム７２の他方端部７２ｂに回動軸８４を介して回動可能に取り付けられている。
【００３６】
図５に示すように、付勢部材７８は、回動アーム７２を下方に回動させるための回動力を生じさせるものである。本実施形態の付勢部材７８は、両端部に環状部分７８ａ，７８ｂが形成されたコイルスプリングであり、一方の環状部分７８ａが回動アーム７２に設けられた接続部８６に引っ掛けられ、他方の環状部分７８ｂがボルト９６ａに引っ掛けられる。ボルト９６ａには、環状部分７８ｂの離脱を防止するためのナット９８ｄが螺合される。
【００３７】
回動アーム７２には、付勢部材７８から下向きの力が付勢されるが、図６に示すように、回動アーム７２の当接部８５ｂが取付部７４のストッパー８５ａに当接されることによって、回動アーム７２の下方への回動が阻止される。当接部８５ｂがストッパー８５ａに当接されたとき、回動アーム７２は、その水平方向長さが最長になる位置またはその近傍位置に配置される。この位置（以下、「基準位置」という。）から回動アーム７２が上方に回動されると、回動アーム７２の水平方向長さは短くなる。
【００３８】
以下には、遮水板３０を開口部１４の底部６２に設置する方法を説明する。図６は、遮水板３０を降下させる状態を示す左側面図である。図２に示す開口部１４の底部６２に遮水板３０を設置する際には、図１に示すシャッターカーテン２６を閉じる操作を行うことで、シャッターカーテン２６の下端部に接続された遮水板３０を降下させる。このとき、図６に示すように、回動アーム７２および引っ掛け部７６の少なくとも一方が支持部３２の上端部に接触する場合がある。しかし、この場合には、回動アーム７２が基準位置から上方に回動されることによって、回動アーム７２および引っ掛け部７６が支持部３２の外側に逃がされるので、遮水板３０の降下は妨げられない。遮水板３０が図６に示す位置からさらに降下すると、回動アーム７２は、付勢部材７８から受ける下向きの力で下方に回動され、基準位置に戻される。
【００３９】
図６に示す回動アーム７２が基準位置にある状態で、回動アーム７２または引っ掛け部７６が支持部３２に当接されたとき、第１止水部材６０と支持部３２との間には、隙間が確保される。つまり、第１止水部材６０は、支持部３２から離間して配置される。
【００４０】
図７は、第２結合部７０が第１結合部６８に引っ掛けられた状態を示す左側面図である。第２結合部７０が第１結合部６８に引っ掛けられる前には、回動アーム７２が基準位置にあり、回動アーム７２の水平方向長さは、最長の長さまたは最長に近い長さになっている。これにより、引っ掛け部７６は、第１結合部６８の先端部６８ａよりも内側に配置される。したがって、図７に示すように、遮水板３０が降下すると、第２結合部７０の引っ掛け部７６が第１結合部６８に上方から引っ掛けられる。
【００４１】
図８は、遮水板３０が止水部材６０，６４に押し付けられた状態を示す左側面図である。遮水板３０が図７に示す位置からさらに降下すると、回動アーム７２は、付勢部材７８の付勢に抗して上方に回動され、回動アーム７２の水平方向長さが短くなる。これにより、遮水板３０が内側に移動され、遮水板３０と支持部３２との間に配置された第１止水部材６０が圧縮される。回動アーム７２が最上位置（図８の位置）まで回動されたときには、遮水板３０は最下位置に到達し、遮水板３０の下端面３０ｂと開口部１４の底部６２との間に配置された第２止水部材６４が圧縮される。
【００４２】
本実施形態によれば、上記構成により以下の各効果を奏することができる。すなわち、図３に示すように、支持部３２、第１止水部材６０、第１結合部６８および第２結合部７０が遮水板３０の内側に配置されているので、開口部１４の互いに対向する２つの側部２０，２０（図１）の間の全範囲において、遮水板３０を外側に向けて露出させることができる。これにより、広告や装飾が表示される表示面３０ａを広く確保できる。
【００４３】
図３に示すように、第２結合部７０が第１結合部６８に対して上方から引っ掛けられて結合されるので、遮水板３０と共に第２結合部７０を持ち上げることによって、遮水板３０を支持部３２から離脱させることができ、遮水板３０と支持部３２との間に配置された各部品の点検および修理を容易に行うことができる。
【００４４】
図７に示す回動アーム７２を上方に回動させるときの負荷によって、遮水板３０の降下速度を緩和でき、第２結合部７０が第１結合部６８に引っ掛けられるときに発生する衝撃を緩和できる。また、回動アーム７２を上方に回動させるときの負荷を付勢部材７８で生じさせることができるので、この負荷の大きさを容易に調整できる。
【００４５】
図７に示すように、遮水板３０を設置する際には、回動アーム７２によって第１止水部材６０を支持部３２から離間させることができるので、第１止水部材６０の損傷を防止できる。
【００４６】
図３に示す遮水板３０をガイド溝２４に沿って降下させることができるので、第１結合部６８に対して第２結合部７０を容易に位置決めできる。
【００４７】
図１に示すように、既存のシャッター１８を利用することによって、遮水装置１０を簡単かつ迅速に構成できる。
【００４８】
なお、本発明の実施にあたっては、上記実施形態に限定されず、本発明の目的を逸脱しない限りにおいて種々の変更が可能である。例えば、上述の実施形態では、第１止水部材６０が遮水板３０に取り付けられているが、第１止水部材６０は支持部３２に取り付けられてもよい。この場合には、引っ掛け部７６が第１結合部６８に引っ掛けられる前段階において、回動アーム７２または引っ掛け部７６が支持部３２に当接されることによって、第１止水部材６０が遮水板３０から離間される。
【００４９】
図９に示すように、上述の実施形態の第２結合部７０（図８）に代えて、固定アーム１０２および引っ掛け部１０４を有する第２結合部１０６が用いられてもよい。この場合には、上述の実施形態の第１結合部６８（図８）に代えて、傾斜部１０８を有する第１結合部１１０が用いられ、第２結合部１０６の引っ掛け部１０４が、傾斜部１０８に沿って内側に移動される。
【符号の説明】
【００５０】
１０…遮水装置、１２…建造物、１４…開口部、２０，２２…側部、３０…遮水板、
３２…支持部、６０…止水部材、６６…移動機構、６８…第１結合部、７０…第２結合部
【図１】
2016003454.tif 000003
【図２】
2016003454.tif 000004
【図３】
2016003454.tif 000005
【図４】
2016003454.tif 000006
【図５】
2016003454.tif 000007
【図６】
2016003454.tif 000008
【図７】
2016003454.tif 000009
【図８】
2016003454.tif 000010
【図９】
2016003454.tif 000011